(57)【要約】【課題】  観光地を訪れる観光客が，ＧＰＳを搭載した携帯電話を利用して，周辺地域にあるご当地情報を取得でき，情報配信者は観光客に新しいサービスを提供できるシステムを提供する。【解決手段】  観光地を訪れた観光客は，ＧＰＳを搭載した携帯電話５からサーバ８にアクセスして位置情報を送信すると，サーバ８のデータベースに登録済みのご当地情報の中から，配信範囲に含まれる情報をダウンロードでき，情報提供者９は観光客がダウンロードしたことによってサービスを行う。ご当地情報を登録するには情報提供者９が受付センタ６にご当地情報の掲載依頼を申込む。受付センタ６は依頼内容を制作センタ１に送信し，制作センタ１はコンテンツ制作装置２を用いてコンテンツを制作して受付センタ６に送信する。受付センタ６はサービス管理装置７からサーバ８にあるサービス管理アプリを用いてご当地情報を登録する。業務センタ３にある業務管理装置４からサーバ８にある業務管理アプリを用いてサーバ８を管理できる。【選択図】図１
2010033525.tif 000002
【特許請求の範囲】
【請求項１】
情報提供者から得たご当地情報からコンテンツを制作し，コンテンツをデータベースに記録できる機能を持つサーバ装置に記録しておき，観光客がＧＰＳ機能を搭載した携帯電話からサーバ装置にアクセスし，ＧＰＳ機能によって取得した位置情報をサーバ装置に送信すると，配信範囲に含まれるご当地情報の一覧を取得でき，詳細情報をダウンロードできることを特徴とする情報提供システム。
【請求項２】
前記情報提供システムを運営する事業者は，情報提供者からの掲載依頼を受付ける受付センタと，コンテンツを制作する制作センタと，前記サーバ装置を管理する業務センタを持つことを特徴とする情報提供システム。
【請求項３】
前記サーバ装置は本システムの実行に必要なデータベースを含めた環境を持ち，観光客が前記携帯電話から送信した位置情報に応じて，データベースから適切なコンテンツを選んで配信し，観光客のアクセス記録をデータベースに記録する配信アプリと，申込者登録管理機能，広告主登録管理機能，ご当地情報登録管理機能を持つサービス管理アプリと，ユーザ管理機能，コメント管理機能，アクセスデータレポート管理機能を持つ業務管理アプリを持つことを特徴とする情報提供システム。
【請求項４】
前記コンテンツは情報提供者が前記受付センタに，申込者情報，広告主情報，掲載期間，北西と南東の緯度と経度で囲まれた配信範囲，タイトル，ポイントによって構成されるデータ登録申込書と，ご当地情報とクーポン画像用のデータを記録したメディアを用いて登録し，前記受付センタが前記制作センタにご当地情報とクーポン画像用のデータを送信し，前記制作センタがコンテンツ制作装置で作成し，作成したものを前記受付センタに送信し，前記受付センタはサービス管理装置から前記サーバ装置の前記サービス管理アプリにアクセスし，データベースに登録することを特徴とする情報提供システム。
【請求項５】
前記アクセス記録は前記携帯電話からご当地情報へのアクセス，クーポン画像へのアクセス，クーポン画像の保存が行われると記録され，月に一度ＨＴＭＬ形式のアクセスデータレポートに成型作成され，メールに添付されて広告主のメールアドレス宛てに電子メールで送信されることを特徴とする情報提供システム。
【発明の詳細な説明】
【技術分野】
【０００１】  この発明は，特産品や観光スポットなどのご当地情報をＷｅｂで提供する方法に関する。
【背景技術】
【０００２】  現在，携帯電話は一般生活において必要不可欠な情報ツールとなり，インターネットを利用して検索サイトにアクセスし，適当なキーワードを入力するだけで多くの情報を取得できるようになった。【０００３】  しかし，取得できる情報は必ずしも整理されているものばかりではないため，検索結果の中から有効な情報を得るための手間がかかることがある。【０００４】  さらに，都市部と比べて地方，特に農村部でのデジタルディバイドが指摘されていて，ＩＴ技術を利用した地方の活性化や産業創出のためのサービスを必要としている。
【発明の開示】
【発明が解決しようとする課題】
【０００４】  本発明は観光地を訪れた観光客が，ＧＰＳを搭載した携帯電話を利用して，自分の場所に応じたご当地情報を取得でき，情報配信者は観光客に新しいサービスを提供できるシステムを提供する。
【課題を解決するための手段】
【０００５】  本発明は上の課題を解決するためになされたものであり，図１のように構成され，観光地を訪れた観光客は，ＧＰＳを搭載した携帯電話５からサーバ８にアクセスして位置情報を送信すると，サーバ８のデータベースに登録済みのご当地情報の中から，配信範囲に含まれるご当地情報の一覧をダウンロードして携帯電話に表示されるので，取得したい情報を選択すると詳細情報をダウンロードして携帯電話に表示し，ご当地情報にクーポン画像とポイントが登録されている場合は，これをダウンロードして携帯電話に保存できる。【０００６】  観光客の携帯電話５に表示されたご当地情報に関してコメントを入力できる。【０００７】  観光客が携帯電話に保存したクーポン画像は，内蔵したアプリケーションから表示，確認でき，ポイント数の合計も確認できる。【０００８】  観光客が携帯電話に保存したクーポン画像とポイント数を内蔵したアプリケーションから表示し，情報提供者９に提示することで，情報提供者９は観光客に新たなサービスを提供できる。【０００９】  本システムを運営する事業者は，情報提供者からの掲載依頼を受付ける受付センタ６と，コンテンツを制作する制作センタ１と，サーバ８を管理する業務センタ３を持つ。【００１０】  サーバ８は本システムの実行に必要なデータベースを含めた環境を持ち，観光客が携帯電話５から送信した位置情報に応じて，データベースから適切なコンテンツを配信し，観光客のアクセス記録をデータベースに記録する配信アプリと，申込者管理機能，広告主管理機能，ご当地情報管理機能を持つサービス管理アプリと，ユーザ管理機能，コメント管理機能，アクセスデータレポート管理機能を持つ業務管理アプリを持つ。【００１１】  ご当地情報を登録する前に情報提供者９がデータ登録申込書を記入して，受付センタ６に掲載依頼を申込む。【００１２】  受付センタ６は依頼内容をもとにコンテンツ制作発注書を記入し，制作センタ１に送信し，制作センタ１はコンテンツ制作装置２を用いてコンテンツを制作して受付センタ６に送信する。【００１２】  受付センタ６はサービス管理装置７からサーバ８のサービス管理アプリを用いて，制作センタ１から受取ったコンテンツをサーバ８のデータベースに登録する。【００１３】  観光客がご当地情報のコメントを入力している場合は，業務センタ３にある業務管理装置４からサーバ８の業務管理アプリを用いて，内容を確認でき，コメントを公開する場合はその設定ができる。【００１４】  定期的に，ご当地情報とクーポンのアクセス記録，クーポン画像の保存記録をアクセスデータレポートとして広告主に送信される。
【発明の効果】
【００１５】  観光客は，自分の近くにあるご当地情報を取得でき，特別なサービスを受けられる。【００１６】  情報提供者は，商品情報を付加したり，ダウンロード数などによって特典を提供するなど新しいサービスを提供できる。
【発明を実施するための最良の形態】
【００１７】  観光客の携帯電話５はインターネット経由でサーバ８にアクセスできる状態にあり，データの送受信ができる状態にある。【００１８】  観光客の携帯電話５はＷｅｂブラウザが搭載されていて，取得した位置情報をサーバ４に送信できる。【００１９】  観光客の携帯電話５は専用のアプリケーションがインストールされていて，ご当地情報の保存や確認ができる。【００２０】  サーバ８と制作センタ１と業務センタ３と受付センタ６は事業者が運用し，コンテンツ制作装置２と業務管理装置４とサービス管理装置７はインターネット経由で接続されている。
【実施例】
【００２１】  観光客の携帯電話５からＷｅｂブラウザを起動してサーバ８のＷｅｂサイトにアクセスすると，図２のような画面が表示され，初めて利用する場合は「ｉアプリダウン」を実行すると図３が表示されるので，専用のアプリをダウンロードしてインストールする。【００２２】  図２から「検索開始」を実行すると携帯電話５のＧＰＳ機能により，位置情報取得が実行されるので，画面にしたがって位置情報を取得すると図４が表示されるので「ｉアプリ起動」を実行すると，携帯電話５にインストールしてあるアプリケーションが実行される。【００２３】  携帯電話５が取得した位置情報に応じて，配信範囲にあるご当地情報のタイトル一覧１３が表示され，詳しい情報を見たいご当地情報を選択すると，ご当地情報の詳細１４が表示される。【００２４】  ご当地情報の詳細１４で「クーポン」を実行するとクーポン画像１５が表示され，「保存」を実行すると携帯電話５にクーポン画像とポイントが保存される。【００２５】  ご当地情報の詳細１４で「コメント」を実行すると図６のコメント画面が表示され，「コメント書込」を実行するとご当地情報に関するコメントを入力できる。【００２６】  業務センタ３の業務管理装置４からサーバ８の業務管理アプリにアクセスすると図７のような画面が表示され，各機能を利用できる。【００２７】  受付センタ６のサービス管理装置７からサーバ８のサービス管理アプリにアクセスすると図８のような画面が表示され，各機能を利用できる。
【産業上の利用可能性】
【００２８】  本情報提供システムを利用すると，情報提供者９がご当地情報の掲載依頼を行ったときに，事業者が登録料を徴収できる。
【図面の簡単な説明】
【００２９】
【図１】  本発明の構成を示した平面図である。
【図２】  本発明における観光客用のＷｅｂサイトである。
【図３】  本発明におけるｉアプリのダウンロード用の画面である。
【図４】  本発明におけるｉアプリの起動用の画面である。
【図５】  本発明におけるｉアプリの画面遷移である。
【図６】  本発明におけるコメント一覧の画面である。
【図７】  本発明における業務管理アプリの画面である。
【図８】  本発明におけるサービス管理アプリの画面である。
【符号の説明】
【００３０】  １  制作センタ
２  コンテンツ制作装置
３  業務センタ
４  業務管理装置
５  携帯電話
６  受付センタ
７  サービス管理装置
８  サーバ
９  情報提供者
１０  観光客用のＷｅｂサイト
１１  ｉアプリのダウンロード用の画面
１２  ｉアプリの起動用の画面
１３  配信範囲にあるご当地情報のタイトル一覧
１４  ご当地情報の詳細
１５  クーポン画像
１６  コメント一覧の画面
１７  業務管理アプリの画面
１８  サービス管理アプリの画面
【図１】
2010033525.tif 000003
【図２】
2010033525.tif 000004
【図３】
2010033525.tif 000005
【図４】
2010033525.tif 000006
【図５】
2010033525.tif 000007
【図６】
2010033525.tif 000008
【図７】
2010033525.tif 000009
【図８】
2010033525.tif 000010